(57)【要約】【課題】事業種別ごとに現金の出入および金種別枚数を管理する。【解決手段】現金処理システム１は、代理店端末による指示のもと、現金の入出金処理を行う現金処理部２０２と、現金処理部により入出金される現金の金種別情報を記録する記録部２０４と、を備える現金処理機２００と、複数事業のうちの一事業の現金処理業務を実行して、現金処理機に現金の入出金を指示する入出金指示部１０２と、現金処理機に記録された現金の金種別情報に基づいて、事業別に、現金処理業務において処理された現金の金種別枚数を算出する枚数算出部１０６と、を備える代理店端末１００とから構成される。【選択図】図２
2011065249.tif 000002
【特許請求の範囲】
【請求項１】
現金処理機と、複数事業の現金処理業務を代理する代理店端末とが接続されている現金処理システムであって、
前記現金処理機は、
前記代理店端末による指示のもと、現金の入出金処理を行う現金処理部と、
前記現金処理部により入出金される現金の金種別情報を記録する記録部と、
を備え、
前記代理店端末は、
前記複数事業のうちの一事業の現金処理業務を実行して、前記現金処理機に現金の入出金を指示する入出金指示部と、
前記現金処理機に記録された現金の金種別情報に基づいて、事業別に、前記現金処理業務において処理された現金の金種別枚数を算出する枚数算出部と、
を備えることを特徴とする、現金処理システム。
【請求項２】
前記現金処理機に備わる前記記録部は、前記現金の金種別枚数を記録し、
前記代理店端末は、
前記現金処理機に記録された前記現金の金種別枚数を照会する照会部を備え、
前記枚数算出部は、前記現金処理機により現金の入出金が実行される前に前記照会部により照会された入出金前の現金の金種別枚数と、前記現金処理機により現金の入出金が実行された後に前記照会部により照会された入出金後の現金の金種別枚数との差分を算出することを特徴とする、請求項１に記載の現金処理システム。
【請求項３】
前記現金処理機に備わる前記記録部は、前記現金処理部による前記入出金処理の履歴を金種別枚数とともに記録し、
前記代理店端末は、
前記入出金指示部により指示された前記一事業の現金処理業務の履歴を記録する履歴記録部を備え、
前記枚数算出部は、前記履歴記録部により記録された前記一事業の現金処理業務の履歴に対応する前記現金処理機に記録された前記入出金処理の履歴を取得することを特徴とする、請求項１に記載の現金処理システム。
【請求項４】
前記代理店端末は、
事業毎に前記枚数算出部により算出された前記現金の金種別枚数を記録する事業別枚数記録部を備えることを特徴とする、請求項１に記載の現金処理システム。
【請求項５】
前記代理店端末は、
前記事業別枚数記録部により記録された前記事業毎の前記現金の金種別枚数に基づいて、事業毎に金種別の手数料を算出する手数料算出部を備えることを特徴とする、請求項４に記載の現金処理システム。
【請求項６】
前記手数料算出部は、前記現金の金種別枚数に金種毎の処理課金率を乗じて前記金種別の手数料を算出することを特徴とする、請求項５に記載の現金処理システム。
【請求項７】
前記枚数算出部は、前記現金処理業務における現金払い処理の金種別枚数から現金受け処理の金種別枚数を減算することにより、準備金に関する情報を取得することを特徴とする、請求項１に記載の現金処理システム。
【請求項８】
現金処理機と、複数事業の現金処理業務を代理する代理店端末とがネットワークを介して接続される現金処理システムにおいて実行する現金処理方法であって、
前記複数事業のうちの一事業の現金処理業務を実行して、前記現金処理機に現金の入出金を指示するステップと、
前記現金の入出金を指示された前記現金処理機において、現金の入出金処理を行うステップと、
前記現金処理機において入出金される現金の金種別情報を記録するステップと、
前記記録された現金の金種別情報に基づいて、事業別に、前記現金処理業務において処理された現金の金種別枚数を算出するステップと、
を含むことを特徴とする、現金処理方法。
【請求項９】
現金処理機とネットワークを介して接続される複数事業の現金処理業務を代理する代理店端末であって、
前記複数事業のうちの一事業の現金処理業務を実行して、前記現金処理機に現金の入出金を指示する入出金指示部と、
前記入出金指示部の指示のもと前記現金処理機により入出金される現金の金種別情報に基づいて、事業別に、前記現金処理業務において処理された現金の金種別枚数を算出する枚数算出部と、
を備えることを特徴とする、代理店端末。
【請求項１０】
前記現金処理機は、前記現金の金種別枚数を記録し、
前記代理店端末は、
前記現金処理機に記録された前記現金の金種別枚数を照会する照会部を備え、
前記枚数算出部は、前記現金処理機により現金の入出金が実行される前に前記照会部により照会された入出金前の現金の金種別枚数と、前記現金処理機により現金の入出金が実行された後に前記照会部により照会された入出金後の現金の金種別枚数との差分を算出することを特徴とする、請求項９に記載の代理店端末。
【請求項１１】
前記現金処理機は、前記入出金指示部により指示された前記現金の入出金処理の履歴を記録し、
前記代理店端末は、
前記入出金指示部により指示された前記一事業の現金処理業務の履歴を記録する履歴記録部を備え、
前記枚数算出部は、前記履歴記録部により記録された前記一事業の現金処理業務の履歴に対応する前記現金処理機に記録された前記入出金処理の履歴から、前記入出金処理における金種別枚数を算出することを特徴とする、請求項９に記載の代理店端末。
【発明の詳細な説明】
【技術分野】
【０００１】
本発明は、現金処理システム、現金処理方法および代理店端末に関する。
【背景技術】
【０００２】
従来、代理店窓口では、窓口端末において複数事業の業務を代行する場合、各業務の取引数や売上げについては事業別に管理し、手数料等を徴収していた。また、現金については、接続された現金処理機で収支の有高や金種別枚数の管理のみを行っていた（例えば、特許文献１）。
【先行技術文献】
【特許文献】
【０００３】
【特許文献１】特開平４−８８４９４号公報
【発明の概要】
【発明が解決しようとする課題】
【０００４】
しかし、接続された現金処理機で収支の有高や金種別枚数の管理を行うのみでは、事業種別ごとに現金の出入や金種別枚数を管理することができないという問題があった。そのため、代理店で複数事業の業務を代行する場合、事業毎に現金の準備、保管、処理、計数といった現金を取り扱う際に発生する事務負荷に対する手数料等を徴収することができなかった。
そこで、本発明は、上記問題に鑑みてなされたものであり、本発明の目的とするところは、事業種別ごとに現金の出入および金種別枚数を管理することが可能な、新規かつ改良された現金処理システム、現金処理方法および代理店端末を提供することにある。
【課題を解決するための手段】
【０００５】
上記課題を解決するために、本発明のある観点によれば、現金処理機と、複数事業の現金処理業務を代理する代理店端末とが接続されている現金処理システムが提供される。
【０００６】
上記現金処理機は、代理店端末による指示のもと、現金の入出金処理を行う現金処理部と、現金処理部により入出金される現金の金種別情報を記録する記録部とを備える。
【０００７】
上記代理店端末は、複数事業のうちの一事業の現金処理業務を実行して、現金処理機に現金の入出金を指示する入出金指示部と、現金処理機に記録された現金の金種別情報に基づいて、事業別に、現金処理業務において処理された現金の金種別枚数を算出する枚数算出部と、を備える。
【０００８】
また、現金処理機に備わる記録部は、現金の金種別枚数を記録し、代理店端末は、現金処理機に記録された現金の金種別枚数を照会する照会部を備え、枚数算出部は、現金処理機により現金の入出金が実行される前に照会部により照会された入出金前の現金の金種別枚数と、現金処理機により現金の入出金が実行された後に照会部により照会された入出金後の現金の金種別枚数との差分を算出してもよい。
【０００９】
現金処理機に備わる記録部は、現金処理部による入出金処理の履歴を金種別枚数とともに記録し、代理店端末は、入出金指示部により指示された一事業の現金処理業務の履歴を記録する履歴記録部を備え、枚数算出部は、履歴記録部により記録された一事業の現金処理業務の履歴に対応する現金処理機に記録された入出金処理の履歴を取得してもよい。
【００１０】
また、代理店端末は、事業毎に枚数算出部により算出された現金の金種別枚数を記録する事業別枚数記録部を備えてもよい。
【００１１】
また、代理店端末は、事業別枚数記録部により記録された事業毎の現金の金種別枚数に基づいて、事業毎に金種別の手数料を算出する手数料算出部を備えてもよい。
【００１２】
また、手数料算出部は、現金の金種別枚数に金種毎の処理課金率を乗じて金種別の手数料を算出してもよい。
【００１３】
また、枚数算出部は、現金処理業務における現金払い処理の金種別枚数から現金受け処理の金種別枚数を減算することにより、準備金に関する情報を取得してもよい。
【００１４】
また、上記課題を解決するために、本発明の別の観点によれば、現金処理機と、複数事業の現金処理業務を代理する代理店端末とがネットワークを介して接続される現金処理システムにおいて実行する現金処理方法であって、複数事業のうちの一事業の現金処理業務を実行して、現金処理機に現金の入出金を指示するステップと、現金の入出金を指示された現金処理機において、現金の入出金処理を行うステップと、現金処理機において入出金される現金の金種別情報を記録するステップと、記録された現金の金種別情報に基づいて、事業別に、現金処理業務において処理された現金の金種別枚数を算出するステップと、を含むことを特徴とする、現金処理方法が提供される。
【００１５】
また、上記課題を解決するために本発明の別の観点によれば、現金処理機とネットワークを介して接続される複数事業の現金処理業務を代理する代理店端末であって、複数事業のうちの一事業の現金処理業務を実行して、現金処理機に現金の入出金を指示する入出金指示部と、入出金指示部の指示のもと現金処理機により入出金される現金の金種別情報に基づいて、事業別に、現金処理業務において処理された現金の金種別枚数を算出する枚数算出部と、を備えることを特徴とする、代理店端末が提供される。
【００１６】
また、現金処理機は、現金の金種別枚数を記録し、代理店端末は、現金処理機に記録された現金の金種別枚数を照会する照会部を備え、枚数算出部は、現金処理機により現金の入出金が実行される前に照会部により照会された入出金前の現金の金種別枚数と、現金処理機により現金の入出金が実行された後に照会部により照会された入出金後の現金の金種別枚数との差分を算出してもよい。
【００１７】
また、現金処理機は、入出金指示部により指示された現金の入出金処理の履歴を記録し、代理店端末は、入出金指示部により指示された一事業の現金処理業務の履歴を記録する履歴記録部を備え、枚数算出部は、履歴記録部により記録された一事業の現金処理業務の履歴に対応する現金処理機に記録された入出金処理の履歴から、入出金処理における金種別枚数を算出してもよい。
【発明の効果】
【００１８】
以上説明したように本発明によれば、事業種別ごとに現金の出入および金種別枚数を管理することが可能となる。
【図面の簡単な説明】
【００１９】
【図１】本発明の第１の実施形態にかかる現金処理システムの概要について説明する説明図である。
【図２】同実施形態にかかる代理店端末および現金処理機の機能構成を示すブロック図である。
【図３】同実施形態にかかる現金の金種別枚数について説明する説明図である。
【図４】同実施形態にかかる事業別金種別カウンタの記録内容について説明する説明図である。
【図５】同実施形態にかかる金種別課金率マスタの内容について説明する説明図である。
【図６】同実施形態にかかる現金処理システムについて説明する説明図である。
【図７】同実施形態にかかる現金処理システムの処理の詳細を示すタイミングチャートである。
【図８】本発明の第２の実施形態にかかる代理店端末および現金処理機の機能構成を示すブロック図である。
【図９】同実施形態にかかる代理店端末の取引履歴と現金処理機の処理履歴について説明する説明図である。
【図１０】同実施形態にかかる現金処理システムの処理の詳細を示すタイミングチャートである。
【発明を実施するための形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
また、以下に示す順序に従って、当該「発明を実施するための形態」を説明する。
〔１〕本実施形態の目的
〔２〕現金処理システムの概要
〔３〕第１実施形態
〔３−１〕現金処理機および代理店端末の機能構成
〔３−２〕現金処理システムの処理の詳細
〔４〕第２実施形態
〔４−１〕現金処理機および代理店端末の機能構成
〔４−２〕現金処理システムの処理の詳細
【００２２】
〔１〕本実施形態の目的
まず、本実施形態の目的について説明する。従来、代理店窓口では、窓口端末において複数事業の業務を代行する場合、各業務の取引数や売上げについては事業別に管理し、手数料等を徴収していた。また、現金については、接続された現金処理機で収支の有高や金種別枚数の管理のみを行っていた。
【００２３】
しかし、接続された現金処理機で収支の有高や金種別枚数の管理を行うのみでは、事業種別ごとに現金の出入や金種別枚数を管理することができないという問題があった。また、代理店で複数事業の業務を代行する場合、事業毎に現金の準備、保管、処理、計数といった現金を取り扱う際に発生する事務負荷に対する手数料等を徴収することができなかった。これは、一般的に、現金処理機には事業種別等を識別する機能がなく、金種別枚数を計数するカウンタを１つしか有していないためである。そこで、上記のような事情を一着眼点として、本発明の実施形態にかかる現金処理システムが創作されるに至った。本実施形態にかかる現金処理システムによれば、事業種別ごとに現金の出入および金種別枚数を管理することが可能となる。
【００２４】
〔２〕現金処理システムの概要
次に、図１を参照して、本発明の実施形態にかかる現金処理システム１の概要について説明する。従来、窓口端末５００ａ、５００ｂ、５００ｃ（以降、窓口端末５００とも称する。）では、一台の窓口端末に一台の現金処理機６００ａ、６００ｂ、６００ｃ（以降、現金処理機６００とも称する。）が接続されていた。例えば、窓口端末５００ａ、５００ｂ、５００ｃがそれぞれ別の業務を取り扱っていた場合には、各窓口端末５００に接続された現金処理機６００の現金の出入および金種別枚数を取得することにより、各業務の現金の出入および金種別枚数を管理することができる。
【００２５】
しかし、一つの窓口端末が複数事業の業務を取り扱う代理店端末として機能する場合に、事業の業務ごとに現金の出入や金種別枚数を管理することはできなかった。例えば、１台の代理店端末１００において３つの業務のアプリケーション（ＡＰ１、ＡＰ２、ＡＰ３）が稼動していた場合でも、現金処理機における現金の出入や金種別枚数をカウントするためのカウンタは１つである。したがって、従来の代理店端末では、３つの業務を合算した現金の出入や金種別枚数しか取得することができなかった。
【００２６】
そこで、本実施形態では、複数の業務アプリケーションが稼動する代理店端末１００において、事業別の金種別カウンタを保有して、現金処理機２００から得られる情報を用いて事業別の金種別カウンタを更新する。これにより、代理店端末１００において、事業別に現金の出入や金種別枚数を管理することが可能となる。さらに、事業別に管理した現金の出入や金種別枚数の情報を用いて、事業別に現金取扱に対する手数料を徴収することが可能となる。
【００２７】
代理店端末１００としては、各代理店の窓口に設置されている端末を例示できる。代理店端末１００は、例えば、パーソナルコンピュータ（ＰＣ）などの情報処理装置を例示できる。また、現金処理機２００としては、例えば、金融機関に設置されている自動取引装置（ＡＴＭ）を例示できるが、かかる例に限定されない。例えば、金融機関以外のコンビニエンスストア、駅構内、ホテル、病院、アミューズメントパーク、飲食店、オフィスビルディングなどの多様な施設に設置される。
【００２８】
また、代理店端末１００と現金処理機２００はネットワークを介して接続され、現金の金種別枚数等の情報を送受信することができる。ネットワークは、専用網であって、例えば、ＬＡＮ（Ｌｏｃａｌ  Ａｒｅａ  Ｎｅｔｗｏｒｋ）などにより構成される。
【００２９】
〔３〕第１実施形態
以上、現金処理システム１の概要について説明した。次に、第一実施形態について説明する。本実施形態の現金処理システム１は、１台の現金処理機２００に１台または２台以上の代理店端末１００が接続されている。代理店端末１００には、事業別の業務アプリケーションが搭載されており、並行して事業別の業務が稼動している。ただし、現金処理機２００における現金処理は複数業務を直列的に行う必要がある。したがって、複数業務が稼動する場合には、各業務の現金処理を排他的に実行する。
【００３０】
現金処理機２００は、代理店端末１００からの入出金指示のもと現金の入出金処理を行い、入出金した金種別枚数をカウントする。本実施形態では、事業別の業務の現金処理実行前と実行後にカウントされた金種別枚数の差分を算出することにより、事業別の業務の金種別枚数を取得する。金種別枚数の差分の算出方法については後で詳細に説明する。以上、現金処理システム１の概要について説明した。
【００３１】
次に、図２の機能構成を説明する前に、代理店端末１００および現金処理機２００のハードウェア構成の一例について説明する。代理店端末１００は、例えば、ＣＰＵ（Ｃｅｎｔｒａｌ  Ｐｒｏｃｅｓｓｉｎｇ  Ｕｎｉｔ）と、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）と、入力装置と、出力装置と、ストレージ装置（ＨＤＤ）などを備える。
【００３２】
ＣＰＵは、演算処理装置および制御装置として機能し、各種プログラムに従って行動予測装置１０の動作全般を制御する。また、ＣＰＵは、マイクロプロセッサであってもよい。ＲＯＭは、ＣＰＵが使用するプログラムや演算パラメータ等を記憶する。ＲＡＭは、ＣＰＵの実行において使用するプログラムや、その実行において適宜変化するパラメータ等を一次記憶する。これらはＣＰＵバスなどから構成されるホストバスにより相互に接続されている。
【００３３】
入力装置は、例えば、マウス、キーボード、タッチパネル、ボタン、マイク、スイッチおよびレバーなどユーザが情報を入力するための入力手段と、ユーザによる入力に基づいて入力信号を生成し、ＣＰＵに出力する入力制御回路などから構成されている。
【００３４】
出力装置は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｓｐｌａｙ）装置およびランプなどの表示装置と、スピーカおよびヘッドホンなどの音声出力装置で構成される。
【００３５】
ストレージ装置は、記憶媒体、記憶媒体にデータを記録する記録装置、記憶媒体からデータを読み出す読出し装置および記憶媒体に記録されたデータを削除する削除装置などを含むことができる。ストレージ装置は、例えば、ＨＤＤ（Ｈａｒｄ  Ｄｉｓｋ  Ｄｒｉｖｅ）で構成される。このストレージ装置は、ハードディスクを駆動し、ＣＰＵが実行するプログラムや各種データを格納する。
【００３６】
以上、代理店端末１００のハードウェア構成について説明した。現金処理機２００についても、代理店端末１００とほぼ同様のハードウェア構成であるため、詳細な説明は省略する。なお、現金処理機２００の表示装置は、例えば、タッチパネルにより実現され、現金処理機２００を操作するオペレータの操作部として機能するようにしてもよい。
【００３７】
〔３−１〕現金処理機および代理店端末の機能構成
次に、図２を参照して、代理店端末１００および現金処理機２００の機能構成について説明する。図２は、代理店端末１００および現金処理機２００の機能構成を示すブロック図である。図２に示したように、代理店端末１００は、入出金指示部１０２、照会部１０４、枚数算出部１０６、事業者別枚数記録部１０８、事業別金種別カウンタ１１０、金種別課金率マスタ１１２、手数料算出部１１４などを備える。
【００３８】
入出金指示部１０２は、複数事業のうちの一事業の現金処理業務を実行して、現金処理機２００に現金の入出金を指示する機能を有する。例えば、入出金指示部１０２は、現金処理機２００に対して、入出金に関する情報を送信することにより、入出金の指示を行う。また、入出金指示部１０２は、現金処理機２００に対して入出金指示を行ったことを照会部１０４に通知する。また、入出金指示部１０２は、枚数算出部１０６に対して、複数事業のうちどの事業の現金処理業務を実行したかを通知する。
【００３９】
照会部１０４は、現金処理機２００に記録された現金の金種別枚数を照会する機能を有する。照会部１０４は、入出金指示部１０２による現金処理機２００に対する入出金の指示の前に現金処理機２００における現金の金種別枚数を照会する。また、照会部１０４は、入出金指示部１０２による現金処理機２００に対する入出金の指示の後に現金処理機２００における現金の金種別枚数を照会する。照会部１０４は、現金処理機による現金の入出金の実行前と実行後の現金の金種別枚数を枚数算出部１０６に提供する。
【００４０】
枚数算出部１０６は、現金処理機２００に記録された現金の金種別情報に基づいて、事業別に現金処理業務において処理された現金の金種別枚数を算出する機能を有する。現金の金種別情報とは、現金処理機２００によりカウントされた現金の金種別枚数である。ここで、図３を参照して、現金処理機２００によりカウントされる現金の金種別枚数について説明する。図３は、現金の金種別枚数について説明する説明図である。
【００４１】
図３に示したように、現金処理機２００において、金種２０６１別に枚数２０６２がカウントされる。金種別枚数のカウントは、入金または出金処理がされる毎に行われる。例えば、現金処理機２００において入金処理が行われた場合には、入金された金種「１万」が「１００」枚、「５千」が「６０」枚、「千」が「５０」枚、「５００」が「０」枚、「１００」が「０」枚、のようにカウントされる。
【００４２】
現金処理機２００における金種別枚数のカウントについては後で詳細に説明するが、現金処理機２００においてカウントされた金種別枚数は、現金処理機２００の金種別カウンタ２０６に記録される。なお、現金処理機２００においてカウントされる金種は、紙幣や硬貨に限らず、記念硬貨や電子マネーなどであってもよい。
【００４３】
図２に戻り、上記したように、枚数算出部１０６は、入出金指示部１０２によりどの事業の現金処理業務を実行したかが通知されるため、事業種別と算出した現金の金種別枚数とを事業者別枚数記録部１０８に提供する。
【００４４】
枚数算出部１０６は、現金処理機２００により現金の入出金が実行される前に照会部１０４により照会された入出金前の現金の金種別枚数と、現金処理機２００により現金の入出金が実行された後に照会部１０４により照会された入出金後の現金の金種別枚数との差分を算出する機能を有する。
【００４５】
例えば、現金の入出金が実行される前に現金処理機２００の金種別カウンタに金種「１万」の枚数が「６０」と記録されており、現金の入出金が実行された後に現金処理機２００の金種別カウンタに金種「１万」の枚数が「５０」と記録されていた場合には、枚数算出部１０６は、金種１万は当該現金処理により１０枚払い出されたと算出することができる。
【００４６】
また、現金の入出金が実行される前に現金処理機２００の金種別カウンタに金種「１万」の枚数が「５０」と記録されており、現金の入出金が実行された後に現金処理機２００の金種別カウンタに金種「１万」の枚数が「１００」と記録されていた場合には、枚数算出部１０６は、金種１万は当該現金処理により５０枚受け入れされたと算出することができる。
【００４７】
事業者別枚数記録部１０８は、枚数算出部１０６により提供された事業種別と現金の金種別枚数とを関連付けて事業別金種別カウンタ１１０に記録する機能を有する。事業者別枚数記録部１０８は、事業種別をキーとして、現金の金種別枚数をカウントして、事業別金種別カウンタ１１０に記録する。ここで、図４を参照して、事業別金種別カウンタ１１０の記録内容について説明する。図４は、事業別金種別カウンタ１１０の記録内容について説明する説明図である。
【００４８】
図４に示したように、事業別金種別カウンタ１１０には、事業１１０１毎に、現金の金種１１０２、枚数１１０３、取引枚数１１０４が記録されている。例えば、Ａ事業のアプリケーションが実行された場合の金種と枚数、Ｂ事業のアプリケーションが実行された場合の金種と枚数が関連付けて記録されている。
【００４９】
さらに、現金処理機２００において入金処理が行われた場合の取引枚数（受け）と、現金処理機２００において出金処理が行われた場合の取引枚数（払い）が金種別に記録されている。例えば、「Ａ事業」の現金処理において、金種「１万」の受けが「５０」で払いが「１０」であった場合には、枚数「４０」と記録される。同様に、金種「５千」の受けが「１００」で払いが「４０」であった場合には、枚数「６０」と記録される。
【００５０】
図２に戻り、手数料算出部１１４は、事業別金種別カウンタ１１０に記録されている事業毎の現金の金種別枚数に基づいて、事業毎に金種別の手数料を算出する機能を有する。具体的には、手数料算出部１１４は、事業別金種別カウンタ１１０に記録されている事業毎の現金の金種別枚数と金種別課金率マスタ１１２に記録されている金種別の課金率とから、金種別の手数料を算出する。
【００５１】
ここで、図５を参照して、金種別課金率マスタ１１２の内容について説明する。図５は、金種別課金率マスタ１１２の内容について説明する説明図である。図５に示したように、金種別課金率マスタ１１２には、課金区分１１２１ごとの課金率１１２２が記憶されている。課金区分１１２１は、「紙幣」、「硬貨」、「電子マネー」などの金種等を表すものである、課金率１１２２は、「受け」と「払い」とで異なる課金率を設定してもよい。
【００５２】
手数料算出部１１４は、事業別金種別カウンタ１１０に記憶されている金種の枚数に、金種別課金率マスタ１１２に記憶されている課金率を乗じて事業者毎の手数料を算出する。以上、代理店端末１００の機能構成について説明した。次に、現金処理機２００の機能構成について説明する。図２に示したように、現金処理機２００は、現金処理部２０２、記録部２０４、金種別カウンタ２０６などを備える。
【００５３】
現金処理部２０２は、代理店端末１００の入出金指示部１０２の指示のもと、現金の入出金処理を行う機能を有する。現金処理部２０２は、現金処理機２００に備わる硬貨の搬送口や紙幣の搬送口を介して現金の入出金を行う。ここで、入金処理とは、例えば、利用者が入金口に投入した紙幣や硬貨の種類および紙幣や硬貨の枚数を識別し、紙幣や硬貨を所定の場所に収納する処理である。また、出金処理とは、利用者の操作に応じて指定された金額に相当する紙幣や硬貨を計数し、出金口に搬送する処理である。
【００５４】
記録部２０４は、現金処理部２０２により入出金される現金の金種別情報を記録する機能を有する。記録部２０４は、金種別に枚数をカウントして、金種別カウンタ２０６に記録する機能を有する。記録部２０４によりカウントされた金種別の枚数は、図３に示したように、金種別カウンタ２０６に金種別に記録される。
【００５５】
金種別カウンタ２０６には、金種別に枚数が記録され、上記したように、代理店端末１００により記録内容が照会される。金種別カウンタ２０６に記録される金種の枚数は、現金処理部２０２により入出金処理が実行される度に上書きされる。本実施形態では、代理店端末１００において、入出金処理の前後の金種別カウンタ２０６に記録されている金種の枚数の差分を算出するようにしたが、かかる例に限定されない。例えば、現金処理機２００において、入出金処理の前後の金種の枚数の差分を算出するようにしてもよい。この場合、記録部２０４が現金処理部２０２において提供された入出金する金種の枚数と、金種別カウンタ２０６に記録されている金種の枚数とを比較して、入出金処理における金種の枚数を算出してもよい。
【００５６】
〔３−２〕現金処理システムの処理の詳細
以上、代理店端末１００および現金処理機２００の機能構成について説明した。次に、現金処理システム１の処理の詳細について説明する。現金処理システム１の処理の詳細を説明するに際しては、図６に示した現金処理システム１′を例示して説明する。図６に示した現金処理システム１′では、現金処理機２００に、２台の代理店端末１００ａと代理店端末１００ｂが接続されている。代理店端末１００ａと代理店端末１００ｂ（以降、代理店端末１００ａと１００ｂを総称して代理店端末１００と称する場合もある）は、ネットワークを介して現金処理機２００に接続され、機能構成は上記した代理店端末１００とほぼ同様である。
【００５７】
図６に示したように、現金処理機２００に２台の代理店端末が接続されている場合には、いずれか一方の代理店端末が入出金処理を行う場合に、現金処理機２００を占有する必要がある。現金処理機２００は、２台以上の入出金指示を同時に処理することができないからである。
【００５８】
次に、図７を参照して、現金処理システム１′の処理の詳細について説明する。図７は、現金処理システム１′の処理の詳細を示すタイミングチャートである。図７においては、代理店端末１００の入出金指示部１０２、照会部１０４、枚数算出部１０６、事業者別枚数記録部１０８等を総称して制御部１２０として説明している。
【００５９】
図７に示したように、まず、代理店端末１００において、現金処理の前処理が実行される（Ｓ１０２）。ステップＳ１０２において実行される現金処理の前処理とは、現金処理が生じる種々の処理であって、例えば、銀行業務における振り込みや振り替えなどを例示できる。具体的には、代理店端末１００において、現金処理が生じる業務に関するデータ入力が行われる。
【００６０】
そして、代理店端末１００は、現金処理機２００に対して処理依頼の占有権を取得する（Ｓ１０４）。上記したように、２台以上の代理店端末１００が現金処理機２００に接続されていた場合、現金処理機２００は２台以上の入出金処理同時に行うことができないため、１台の現金処理機２００の処理依頼のみ受け付けるようにする必要がある。したがって、ステップＳ１０４において、２台以上の代理店端末１００のうち１台の代理店端末１００が排他的に現金処理機２００への処理を依頼するようにする。
【００６１】
ステップＳ１０４において、代理端端末１００が現金処理機２００の処理依頼占有権を取得した後に、代理店端末１００は現金処理機２００に対し、現金処理機２００が保有している金種別枚数のカウンタを照会する（Ｓ１０６）。金種別枚数のカウンタは、現金処理機２００の金種別カウンタ２０６に格納されている。ステップＳ１０６において、代理店端末１００の照会部１０４は、現金処理機２００の金種別カウンタ２０６にアクセスして金種別枚数のカウンタを取得する。ステップＳ１０６において取得する金種別枚数のカウンタは、後述する入出金指示が行われる前の金種別枚数のカウンタである。
【００６２】
ステップＳ１０６において、代理店端末１００は、金種別枚数のカウンタを照会した後に、現金処理機２００に入出金指示を行う（Ｓ１１０）。ステップＳ１１０における入出金指示は、代理店端末１００の入出金指示部１０２により行われる。ステップＳ１１０において代理店端末１００から入出金指示を受けた現金処理機２００は、指示された入出金処理を実行して、金種別枚数のカウンタを更新する（Ｓ１１２）。
【００６３】
そして、ステップＳ１１２において現金処理機２００が入出金処理とカウンタの更新を実行した後に、代理店端末１００の照会部１０４は、再度、現金処理機２００の金種別カウンタ２０６にアクセスして金種別枚数のカウンタを取得する（Ｓ１１４）。ステップＳ１１４において取得する金種別枚数のカウンタは、入出金指示が行われた後の金種別枚数のカウンタである。
【００６４】
次に、ステップＳ１１４において取得した入出金指示後の金種別枚数のカウンタと、ステップＳ１０６において取得した入出金指示前の金種別枚数のカウンタとの差分を算出する（Ｓ１１６）。ステップＳ１１６におけるカウンタの差分を算出する処理は、代理店端末１００の枚数算出部１０６において実行される。
【００６５】
代理店端末１００は、ステップＳ１１６において現金処理機２００における入出金前後の金種別枚数のカウンタの差分を算出した後に、事業別金種別カウンタ１１０を更新する（Ｓ１１８）。ステップＳ１１８における事業別金種別カウンタの更新処理は、事業者別枚数記録部１０８が、ステップＳ１０２において実行された現金処理の事業の種別と、ステップＳ１１６において算出された金種別枚数とを関連付けて記録することにより行われる。
【００６６】
そして、代理店端末１００は、ステップＳ１１８において、事業別金種別カウンタ１１０が更新された後に、ステップＳ１０４において取得した現金処理機２００への処理依頼の占有権を開放する（Ｓ１２０）。ステップＳ１２０において、現金処理機２００への処理依頼の占有権を開放した後に、現金処理実行後の代理店端末１００において実行される業務処理等を行う（Ｓ１２２）。
【００６７】
ステップＳ１２０において、１台の代理店端末１００が現金処理機２００への処理依頼の占有権が開放された後は、他の代理店端末１００が現金処理を実行すべく現金処理機２００への処理依頼を占有する。このように、１台の現金処理機２００に複数の代理店端末１００が接続されている場合には、複数の代理店端末１００の間で排他的に処理が実行される。また、１台の代理店端末１００において複数のアプリケーションが並行的に処理を実行する場合においても、現金処理機２００における処理は排他的に処理されるため、業務毎の金種別枚数をカウントすることが可能となる。
【００６８】
以上、本実施形態における処理の詳細について説明した。上記実施形態によれば、現金処理機２００において入出金処理された現金の金種の枚数を、入出金前と後とにカウントして、差分を算出することにより、一つの業務処理において現金処理機２００で扱われた現金の金種の枚数を把握することが可能となる。
【００６９】
また、事業別に現金を管理することができるため、代理店端末１５０を所有する代理事業者は、現金取り扱いに関する事務負荷を正確に把握することができる。したがって、現金取り扱いに関する事務負荷を、現金処理に関する手数料等に反映することが可能となる。
【００７０】
さらに、事業別に金種別枚数のカウンタの推移を把握することができるため、各事業業務の代行にあたり必要な準備金（金種別枚数）を把握することが可能となる。したがって、代理事業者は、準備金に対する課金額を手数料等に反映させることも可能となる。
【００７１】
〔４〕第２実施形態
以上、第１実施形態について説明した。次に、第２実施形態について説明する。本実施形態における現金処理システム２においても、第１実施形態と同様に、代理店端末１００において、事業別に金種別枚数を管理することができる。また、１台の代理店端末１５０に接続される現金処理機２５０は１台であるが、１台の現金処理機２５０に複数台の代理店端末１５０が１台の現金処理機に接続されていてもよい点は第１実施形態と同様である。また、本実施形態では、複数の金種別カウンタを有していなくても、事業別に金種別枚数を管理することが可能な点で、第１実施形態とは異なっている。
【００７２】
本実施形態では、代理店端末１５０と現金処理機２５０の取引履歴に基づいて事業別の金種別枚数を管理する。したがって、１つの処理毎に事業別の金種別枚数を算出している第１実施形態とは異なり、本実施形態では、１日の営業終了後に事業別の金種別枚数を算出する点で異なっている。以下では、第１実施形態と同様の機能または処理についての詳細な説明は省略し、主に、第１実施形態と異なる機能または処理について詳細に説明する。
【００７３】
〔４−１〕現金処理機および代理店端末の機能構成
まず、図８を参照して、代理店端末１５０および現金処理機２５０の機能構成について説明する。図８に示したように、代理店端末１００は、入出金指示部１５２、履歴記録部１５４、事業別取引履歴１５６、枚数算出部１５８、事業者別枚数記録部１６０、事業別金種別カウンタ１６２、金種別課金率マスタ１６４、手数料算出部１６６などを備える。
【００７４】
入出金指示部１５２は、第１実施形態の入出金指示部１０２と同様に、複数事業のうちの一事業の現金処理業務を実行して、現金処理機２５０に現金の入出金を指示する機能を有する。また、入出金指示部１５２は、履歴記録部１５４に対して、入出金指示を行ったことを通知する。
【００７５】
履歴記録部１５４は、入出金指示部１５２により実行される入出金処理の履歴を事業別取引履歴１５６に記録する機能を有する。事業別取引履歴１５６には、代理店端末１５０において処理される取引履歴が時刻とともに記録されている。例えば、代理店端末１５０が、商品Ａを購入する処理を実行する場合には、商品Ａを購入する前処理の履歴が時刻とともに記録される。また、現金処理機２５０に現金処理の依頼をした場合には、現金処理依頼の履歴が時刻とともに記録される。また、１台の代理店端末１５０において複数事業の処理を実行する場合には、事業ごとの取引履歴が時刻とともに記録される。
【００７６】
枚数算出部１５８は、事業別取引履歴１５６に記録されている事業別の取引履歴と、後述する現金処理機２５０の入出金における処理履歴とから、入出金処理における金種別枚数を算出する機能を有する。ここで、図９を参照して、代理店端末１５０の取引履歴と現金処理機２５０の処理履歴について説明する。図９は、代理店端末１５０の取引履歴と現金処理機２５０の処理履歴について説明する説明図である。図９に示した代理店端末１５０の取引履歴および現金処理機２５０の処理履歴の一覧は、例えば、１日の営業終了後の履歴の一覧である。
【００７７】
図９に示したように、端末Ａ（代理店端末）においては、事業Ｘの取引履歴と事業Ｙの取引履歴が時刻とともに記録されている。また、端末Ｂ（代理店端末）においては、事業Ｘの取引履歴が時刻とともに記録されている。さらに、端末Ａと端末Ｂに接続されている現金処理機２５０の処理履歴が時刻とともに記録されている。
【００７８】
端末Ａおよび端末Ｂの取引履歴は各代理店端末１５０の事業別取引履歴１５６に記録されている。また、現金処理機２５０の処理履歴は後述するように、現金処理機２５０の処理履歴２５８に記録されている。枚数算出部１５８は、代理店端末１５０の取引履歴と現金処理機２５０の処理履歴を、図９に示したように時系列に並べる。そして、代理店端末１５０の取引履歴の各事業取引処理に該当する時刻の現金処理を当該事業の現金処理の内訳と判断して、事業毎の金種別枚数を算出する。
【００７９】
例えば、図９に示したように、端末Ａ（代理店端末１５０）の事業Ｘの取引履歴の時刻（１時〜６時）に対応する現金処理機２５０の処理履歴から、同時刻に処理された事業Ｘの現金処理の内訳が算出される。現金処理機２５０の１時〜６時の処理履歴は、入金処理は１００円硬貨が５枚、出金処理は１０円硬貨が３枚である。したがって、端末Ａにおける事業Ｘの現金処理において、１００円硬貨が５枚入金され、１０円硬貨が３枚出金されたことがわかる。図８に戻り、枚数算出部１５８は、算出した事業種別の現金の金種別枚数を事業者別枚数記録部１６０に提供する。
【００８０】
事業者別枚数記録部１６０は、枚数算出部１５８により提供された事業種別と現金の金種別枚数とを関連付けて事業別金種別カウンタ１６２に記録する機能を有する。事業者別枚数記録部１６０は、事業種別をキーとして、現金の金種別枚数をカウントして、事業別金種別カウンタ１６２に記録する。事業者別枚数記録部１６０および事業別金種別カウンタ１６２は、第１実施形態の事業者別枚数記録部１０８および事業別金種別カウンタ１１０と同様の機能を有するため、詳細な説明は省略する。
【００８１】
手数料算出部１６６は、事業別金種別カウンタ１６２に記録されている事業毎の現金の金種別枚数に基づいて、事業毎に金種別の手数料を算出する機能を有する。具体的には、手数料算出部１６６は、事業別金種別カウンタ１６２に記録されている事業毎の現金の金種別枚数と金種別課金率マスタ１６４に記録されている金種別の課金率とから、金種別の手数料を算出する。
【００８２】
以上、代理店端末１５０の機能構成について説明した。次に、現金処理機２５０の機能構成について説明する。図８に示したように、現金処理機２５０は、現金処理部２５２、記録部２５４、金種別カウンタ２５６、処理履歴２５８などを備える。
【００８３】
現金処理部２５２は、第１実施形態の現金処理部２０２と同様に、代理店端末１５０の入出金指示部１５２の指示のもと、現金の入出金処理を行う機能を有する。記録部２５４は、第１実施形態の記録部２０４と同様に、現金処理部２５２により入出金される現金の金種別情報を記録する機能を有する。また、現金処理機２５０で実行される処理の履歴を現金の金種別情報とともに処理履歴２５８に記録する。処理履歴２５８には、上記したように、現金処理機２５０において実行される現金処理の履歴と現金の金種別情報が時刻とともに記録されている。
【００８４】
〔４−２〕現金処理システムの処理の詳細
以上、本実施形態にかかる代理店端末１５０および現金処理機２５０の機能構成について説明した。次に、現金処理システム２の処理の詳細について説明する。以下の現金処理システム２の処理の詳細を説明するに際しても、図６に示したように、１台の現金処理機２５０に２台の代理店端末１５０が接続されている場合について説明する。
【００８５】
本実施形態にかかる処理の詳細について、第１実施形態と同様の処理については詳細な説明は省略する。また、図１０においては、代理店端末１５０の入出金指示部１５２、履歴記録部１５４、枚数算出部１５８、事業者別枚数記録部１６０等を総称して制御部１７０として説明している。
【００８６】
図１０に示したように、まず、代理店端末１５０において、現金処理の前処理が実行される（Ｓ２０２）。そして、代理店端末１５０は、現金処理機２５０に対して処理依頼の占有権を取得する（Ｓ２０４）。その後、代理店端末１５０は、現金処理機２５０に入出金指示を行う（Ｓ２０６）。ステップＳ２０６において代理店端末１５０から入出金指示を受けた現金処理機２５０は、指示された入出金処理を実行して、金種別枚数のカウンタを更新する（Ｓ２０８）。
【００８７】
そして、代理店端末１５０は、ステップＳ２０８において、現金処理機２５０において指示した入出金処理が実行された後に、代理店端末１５０は、ステップＳ２０４において取得した現金処理機２５０への処理依頼の占有権を開放する（Ｓ２１０）。そして、ステップＳ２１４において現金処理機２５０への処理依頼の占有権を開放した後に、現金処理実行後の代理店端末１５０において実行される業務処理等を行う（Ｓ２１２）。
【００８８】
代理店端末１５０は、ステップＳ２１２において現金処理後の処理が実行された後に、各処理の履歴を取引履歴として記録する（Ｓ２１４）。ステップＳ２１４において記録される取引履歴は、上記したように事業ごとの取引内容を時刻とともに記録した履歴である。また、現金処理機２５０においても、現金処理機２５０において実行された現金処理の履歴を記録する（Ｓ２１６）。ステップ２１６において記録される処理履歴は、処理内容と金種別カウンタ値とを時刻とともに記録した履歴である。
【００８９】
そして、１日の営業終了後に、代理店端末１５０の枚数算出部１５８は、代理店端末１５０の取引履歴と現金処理機２５０の処理履歴から事業別の現金処理の内訳を算出する（Ｓ２１８）。ステップＳ２１８における算出方法は、上記したように、代理店端末１５０の取引履歴と現金処理機２５０の処理履歴とを時系列に並べて、取引履歴の各事業取引処理に該当する時刻の現金処理を当該事業の現金処理の内訳と判断することにより行われる。現金処理機２５０の処理履歴データは、代理店端末１５０と接続している通信回線により取り込むようにしてもよいし、記憶媒体を介して取り込むようにしてもよい。
【００９０】
以上、第２実施形態にかかる現金処理システム２の処理の詳細について説明した。第２実施形態によれば、第１実施形態と同様に、一つの業務処理において現金処理機２５０で扱われた現金の金種の枚数を把握することが可能となる。また、事業別に現金を管理することができるため、代理店端末１５０を所有する代理事業者は、現金取り扱いに関する事務負荷を正確に把握することができる。したがって、現金取り扱いに関する事務負荷を、現金処理に関する手数料等に反映することが可能となる。
【００９１】
また、第２実施形態では、業務取引中の処理を新たに追加すること必要がなく、営業外の時間を用いて処理をすることが可能である。このため、代理店端末や現金処理機の処理負荷を増大や業務取引の遅延を招くことなく、業務ごとの金種別枚数を管理することが可能となる。
【００９２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９３】
上記実施形態では、代理店の窓口端末に適用して説明したが、かかる例に限定されず、ＡＴＭ等の現金を取り扱う自動機に適用することも可能である。本発明により、例えば、ＡＴＭにおいて、複数の銀行の取引を代行することが可能となる。通常、取引別、取引金額、利用時間帯により手数料が定められているが、本発明を適用することにより、取り扱い金種やつり銭の有無、現金か電子マネーかなど、現金処理の詳細に基づき手数料を変更することが可能となる。
【００９４】
例えば、本明細書の代理店端末および現金処理機の処理における各ステップは、必ずしもフローチャートとして記載された順序に沿って時系列に処理する必要はない。すなわち、代理店端末および現金処理機の処理における各ステップは、異なる処理であっても並列的に実行されてもよい。
【００９５】
また、代理店端末および現金処理機などに内蔵されるＣＰＵ、ＲＯＭおよびＲＡＭなどのハードウェアを、上述し代理店端末および現金処理機の各構成と同等の機能を発揮させるためのコンピュータプログラムも作成可能である。また、該コンピュータプログラムを記憶させた記憶媒体も提供される。
【符号の説明】
【００９６】
１００、１５０    代理店端末
１０２、１５２    入出金指示部
１０４            照会部
１０６、１５８    枚数算出部
１０８、１６０    事業者別枚数記録部
１１０、１６２    事業別金種別カウンタ
１１２、１６４    金種別課金率マスタ
１１４、１６６    手数料算出部
１５４            履歴記録部
１５６            事業別取引履歴
２００、２５０    現金処理機
２０２、２５２    現金処理部
２０４、２５４    記録部
２０６、２５６    金種別カウンタ
２５８            処理履歴
【図１】
2011065249.tif 000003
【図２】
2011065249.tif 000004
【図３】
2011065249.tif 000005
【図４】
2011065249.tif 000006
【図５】
2011065249.tif 000007
【図６】
2011065249.tif 000008
【図７】
2011065249.tif 000009
【図８】
2011065249.tif 000010
【図９】
2011065249.tif 000011
【図１０】
2011065249.tif 000012